(57)【要約】【課題】所望の固定位置間隔にて設置することができ、構造が簡単で、かつ、他のフレーム等に格別の加工を施す必要がなく、容易に設置することができる防虫網収納装置およびそれを備えた農業用温室を提供することを目的とする。【解決手段】屋根に一側縁を枢支された窓２０と該窓２０を開放および閉鎖する駆動手段２４ａを有する開閉機構２４と前記窓２０の開放状態における前記窓２０の開口部２１を囲繞する防虫網２２とを有する窓構造において前記窓２０の閉鎖動作に伴い前記防虫網２２を室内方向へ収納する防虫網収納装置２３であって、前記窓２０に適宜間隔を隔てて取り付けられると共に前記防虫網２２の一部を保持して前記窓２０の閉鎖動作に伴い前記防虫網２２を室内方向へ収納する、前記駆動手段２４ａとは別体の、収納手段２３ａ、２３ｂを備えるよう構成した。【選択図】    図３
2006204159.tif 000002
【特許請求の範囲】
【請求項１】
屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖時に前記防虫網を室内方向へ収納する防虫網収納装置であって、
一端部は前記窓の開口部下方に適宜間隔を隔てて取り付けられると共に、他端部は前記防虫網の一部を保持しつつ前記防虫網を室内方向へ引き込む、前記駆動手段とは別体の、収納手段を備えることを特徴とする防虫網収納装置。
【請求項２】
前記収納手段は、一端部が前記防虫網の一部を保持しつつ前記防虫網を室内方向へ引き込む引込アームと、一端部が前記引込アームに連結され、他端部が前記窓の開口部下方に設けられた支持部に連結される支持ステーと、を備えることを特徴とする請求項１に記載の防虫網収納装置。
【請求項３】
請求項１又は２に記載の防虫網収納装置を備えることを特徴とする農業用温室。
【発明の詳細な説明】
【技術分野】
【０００１】
本発明は、例えば農業用温室や農業用ハウス（以下「農業用温室」という）の屋根等に設けられた開閉式の窓から害虫が侵入することを防止する天窓用防虫網の収納装置に関するものであり、より詳しくは、前記窓の閉鎖動作に伴い前記防虫網を室内方向へ引き込み、窓閉鎖時において前記防虫網が室外にはみ出ることなく収納できる防虫網収納装置及びそれを備えた農業用温室に関する。
【背景技術】
【０００２】
従来、農業用温室には、屋根に換気用又は採光用等のために窓（天窓等）が設けられるとともに、前記窓の開口部から害虫が侵入することがないように、又は、農作物栽培に使用する受粉用昆虫や天敵昆虫（生物農薬）が室内から逃げ出して生態系に悪影響を及ぼさないように、前記窓の開口部に防虫網が取り付けられているものがある。
【０００３】
前記農業用温室は、屋根に開口部を形成し、該開口部の一側縁に天窓を開閉自在に枢支すると共に、前記天窓の開放側縁には、上下駆動により前記天窓を開閉する駆動アームが取り付けられ、さらに、一端を前記開口部の対向側縁に固定し、かつ、他端を開放状態における天窓の他側縁にそれぞれ固定した防虫網により、天窓開放部分を囲繞している。
【０００４】
しかしながら、前記構造においては、天窓の開閉駆動時に強風等によって、防虫網が煽られ、天窓の側縁、窓開口の側縁又は駆動アーム等に引っかかり破損する場合や、天窓の閉鎖動作時に防虫網が室外にはみ出した状態で天窓が閉鎖してしまい、前記防虫網のはみ出し部分が風でばたついて破損したり、雪溜まりができる原因となる場合がある。
【０００５】
これらの問題を解決するために、例えば、実用新案登録第３０２６４９５号に記載の防虫網収納装置が提案されている。前記の防虫網収納装置は、図１０に示すように、農業用温室１Ａの屋根２Ａの一部に設けた開口部３Ａと、該開口部３Ａの一端のヒンジ部４Ａを介して開閉自在に設けられた天窓５Ａと、農業用温室１Ａの室内から延びていて前記天窓５Ａを開閉駆動する駆動アーム６Ａとからなり、前記天窓５Ａの開放時に害虫が侵入するのを防ぐための防虫網７Ａを備えた農業用温室１Ａの窓構造において、前記防虫網７Ａの一端を前記開口部３Ａの内側縁部に、他端を最大開放状態とした天窓５Ａの側縁部にそれぞれ固定すると共に天窓５Ａの前端縁と開口部３Ａの内側縁部との間に張設された防虫網７Ａの中間部を前記駆動アーム６Ａに固定し、駆動アーム６Ａの引き込み動作により防虫網７Ａが室内側に引き込まれるように構成されている。
【０００６】
【特許文献１】実用新案登録第３０２６４９５号公報
【０００７】
また、他方において、実用新案登録第３０８１５９９号に記載の防虫網収納装置が提案されている。前記防虫網収納装置は、図１１に示すように、農業用温室１Ｂの屋根２Ｂに形成された窓開口部３Ｂをその一側縁に枢着されて天窓開閉機構６Ｂにより作動される天窓５Ｂにより開閉自在とした天窓装置の前記した窓開口部３Ｂと天窓５Ｂとの間にこの天窓５Ｂが開かれたときに形成される開放部分を囲繞する防虫網７Ｂを取付けるとともに、この防虫網７Ｂの前面部を部分的に支えて常時天窓５Ｂの回動軌跡外にはみ出すことを防ぐように、防虫網７Ｂの前面部の中間に添って横方向に設けた中間保持フレーム８Ｂを前記駆動アーム６Ｂに連繋支持して、防虫網７Ｂの中間部分が常時天窓５Ｂの回動軌跡外にはみ出すことを防ぐように構成されている。
【０００８】
【特許文献２】実用新案登録第３０８１５９９号公報
【発明の開示】
【発明が解決しようとする課題】
【０００９】
しかしながら、前記実用新案登録第３０２６４９５号公報に記載された防虫網収納装置は、防虫網の中間部を前記駆動アームに固定し、駆動アームの引き込み動作により防虫網が室内側に引き込まれるように構成されているので、防虫網の前記固定位置は、駆動アームの間隔位置に限定される。したがって、駆動アームの間隔が、防虫網の引き込み動作に必要とされる間隔よりも広間隔で配置されている場合は、防虫網の引き込みが十分行われない箇所が生じる。特に、例えば後述する図８および図９に示すように、駆動アームが扇状に広がって伸びるタイプの開閉機構を有する農業用温室等では、構造上、中心の駆動アームにしか防虫網を固定できないため、固定位置間隔が広すぎて、防虫網の収納に必要なだけの固定位置間隔が取れず、収納されない部分が残る等の不都合が生じ得る。
【００１０】
一方、前記実用新案登録第３０８１５９９号公報に記載された防虫網収納装置は、防虫網の前面部の中間に添って横方向に設けた中間保持フレームを前記駆動アームに連繋支持しているので、天窓の開閉動作に伴い、中間保持フレームがアーチフレームに抵触するため、この構造を採用する場合は、中間保持フレームがアーチフレーム部分を切欠したり屈曲させて天窓の閉鎖下降時、中間保持フレームがアーチフレームにぶつからないようにする必要があり、アーチフレームの構造が複雑となり、また、切り欠いた場合には、強度の点でも問題が生じる。
【００１１】
本発明は、かかる事情に鑑みてなされたものであって、所望の固定位置間隔にて設置することができ、構造が簡単で、かつ、他のフレーム等に格別の加工を施す必要がなく、容易に設置することができ、かつ、窓枠に取り付ける必要がなく、窓の枠構造の如何に拘わらず取り付けることができる防虫網収納装置およびそれを備えた農業用温室を提供することを目的とする。
【課題を解決するための手段】
【００１２】
請求項１に記載の防虫網収納装置は、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓の下方に適宜間隔を隔てて取り付けられると共に前記防虫網の一部を保持して前記窓の閉鎖動作に伴い前記防虫網を室内方向へ収納する、前記駆動手段とは別体の、収納手段を備えることを特徴とする。
【００１３】
請求項１に記載の防虫網収納装置にあっては、前記窓の下方に適宜間隔を隔てて取り付けられるので、前記防虫網の収納に必要な間隔にて取り付けられることができ、また、前記駆動手段とは別体に構成されているので、防虫網収納装置の取付位置は前記駆動手段の取付位置に限定されることはなく、さらに、本防虫網収納装置は、前記窓に取り付けられるのではなく、前記窓の下方に取り付けられるので、例えば、前記窓の下方に架設されるもや材に取り付けることができ、前記窓の枠構造の如何に拘わらず、取り付けることができる。
【００１４】
請求項２に記載の防虫網収納装置は、請求項１に記載の防虫網収納装置において、前記収納手段は、前記防虫網の一部を保持する引込アームと、一端部が前記引込アームに連結され、他端部が前記窓の下方に設けられた支持部に連結される支持ステーと、を備えることを特徴とする。
【００１５】
請求項２に記載の防虫網収納装置にあっては、前記収納手段は、前記防虫網の一部を保持する引込アームと、一端部が前記引込アームに連結され、他端部が前記窓の下方に設けられた支持部に連結される支持ステーとから構成されているので、前記防虫網収納装置は、その自重により、常に前記防虫網を室内方向斜下方に向けて引張した状態となり、前記開閉機構の閉鎖動作中において、前記防虫網が、強風等によって煽られて、前記防虫網が天窓の側縁、窓開口の側縁又は駆動アーム等に引っかかることななく、また、前記防虫網が室外にはみ出した状態で天窓が閉鎖することもない。さらに、構造が簡単なため、容易かつ安価に製造することができる。また、取付時においては、他のフレーム等に格別の加工を施す必要がなく、容易に取り付けることができる。
【００１６】
請求項３に記載の農業用温室は、請求項１又は２に記載の防虫網収納装置を備えることを特徴とする。
【００１７】
請求項３に記載の農業用温室にあっては、農業用温室に備えた防虫網収納装置が、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓の下方に適宜間隔を隔てて取り付けられると共に前記防虫網の一部を保持して前記窓の閉鎖動作に伴い前記防虫網を室内方向へ収納する、前記駆動手段とは別体の、収納手段を備えるものであり、又は前記収納手段は、前記防虫網の一部を保持する引込アームと、一端部が前記引込アームに連結され、他端部が前記窓の下方に設けられた支持部に連結される支持ステーと、を備えるものであるので、この農業用温室の防虫網収納装置にあっては、前記窓に適宜間隔を隔てて取り付けられるので、前記防虫網の収納に必要な間隔にて取り付けられることができ、さらに、前記駆動手段とは別体に構成されているので、防虫網収納装置の取付位置は前記駆動手段の取付位置に限定されることはなく、又は、前記収納手段は、前記防虫網の一部を保持する引込アームと、一端部が前記引込アームに連結され、他端部が前記窓の下方に設けられた支持部に連結される支持ステーとから構成されているので、構造が簡単で、かつ、他のフレーム等に格別の加工を施す必要がなく、容易に設置することができる。
【発明の効果】
【００１８】
請求項１に記載の防虫網収納装置によれば、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓の下方に適宜間隔を隔てて取り付けられると共に前記防虫網の一部を保持して前記窓の閉鎖動作に伴い前記防虫網を室内方向へ収納する、前記駆動手段とは別体の、収納手段を備えるので、防虫網収納装置の取付位置は前記駆動手段の取付位置に限定されることはなく、さらに、本防虫網収納装置は、前記窓に取り付けられるのではなく、前記窓の下方に取り付けられるので、例えば、前記窓の下方に架設されるもや材に取り付けることができ、前記窓の枠構造の如何に拘わらず、取り付けることができる。
【００１９】
請求項２に記載の防虫網収納装置によれば、請求項１に記載の防虫網収納装置において、前記収納手段は、前記防虫網の一部を保持する引込アームと、一端部が前記引込アームに連結され、他端部が前記窓の下方に設けられた支持部に連結される支持ステーと、を備えるので、構造が簡単で、かつ、他のフレーム等に格別の加工を施す必要がなく、容易に設置することができる。
【００２０】
請求項３に記載の農業用温室によれば、農業用温室に備えた防虫網収納装置が、屋根に一側縁を枢支された窓と該窓を開放および閉鎖する駆動手段を有する開閉機構と前記窓の開放状態における前記窓の開口部を囲繞する防虫網とを有する窓構造において前記窓の閉鎖動作に伴い前記防虫網を室内方向へ収納する防虫網収納装置であって、前記窓の下方に適宜間隔を隔てて取り付けられると共に前記防虫網の一部を保持して前記窓の閉鎖動作に伴い前記防虫網を室内方向へ収納する、前記駆動手段とは別体の、収納手段を備えるものであり、又は前記収納手段は、前記防虫網の一部を保持する引込アームと、一端部が前記引込アームに連結され、他端部が前記窓の下方に設けられた支持部に連結される支持ステーと、を備えるものであるので、この農業用温室の防虫網収納装置にあっては、前記窓に適宜間隔を隔てて取り付けられるので、前記防虫網の収納に必要な間隔にて取り付けられることができ、さらに、前記駆動手段とは別体に構成されているので、防虫網収納装置の取付位置は前記駆動手段の取付位置に限定されることはなく、又は、前記収納手段は、前記防虫網の一部を保持する引込アームと、一端部が前記引込アームに連結され、他端部が前記窓の下方に設けられた支持部に連結される支持ステーとから構成されているので、構造が簡単で、かつ、他のフレーム等に格別の加工を施す必要がなく、容易に設置することができる。
【発明を実施するための最良の形態】
【００２１】
以下、本発明を実施するための最良の形態を図面に基づいて具体的に説明する。
【００２２】
図１は、本発明にかかる防虫網収納装置を備えた農業用温室の概略斜視図であり、図２は、農業用温室の要部断面図である。
【００２３】
図１および図２において、１０は農業用温室であり、１１は支柱である。該支柱１１は、横方向と奥行方向に夫々複数本が立設されており、該支柱１１の上部には横方向に向けてトラス梁１２を架設すると共に、これと直交する奥行方向において長尺のアーチ受材１３を架設している。該アーチ受材１３には奥行方向に向けて円弧状のアーチパイプ１４が多数並設されており、該アーチパイプ１４は、天頂部において、略く字状に屈曲した円筒形状のアーチパイプ接続具１５により、突合状態で、逆斜面のアーチパイプ１４と連結されている。前記アーチパイプ１４の下面には、前記アーチパイプ１４と直交して長尺状のもや材１７が配設されており、該もや材１７は結束部材１８により前記アーチパイプ１４の下面に固定されている。前記もや材１７の上方には、天窓支持材１９が前記もや材１７と並行に架設され、前記アーチパイプ１４に螺着されている。
【００２４】
図中２０は、天窓であり、該天窓２０は、図４に詳細に示すように、長尺状の天窓上枠材２０ａと長尺状の天窓下枠材２０ｂとの間に、複数個の縦桟を架設して構成されており、前記天窓上枠材２０ａの端部にはヒンジ部２０ｄが形成されており、一方、前記天窓下枠材２０ｂの端部には、防虫網受部２０ｃが形成されている。
【００２５】
前記アーチパイプ接続具１５の上部には、図４に詳細に示すように、奥行方向に向けて、長尺状の棟材１６がボルトＢとナットＮにより接合されており、該棟材１６の上部片側にはヒンジ受部１６ａを形成して、前記天窓上枠材２０ａのヒンジ部２０ｄを回動自在に抱持している。そして、前記天窓２０の開口部２１を囲繞するように防虫網２２が張設されており、前記開口部２１からの害虫の侵入又は受粉用等昆虫の逃走を防止している。
【００２６】
図中２４は、前記天窓２０の開閉機構であり、該開閉機構２４は、前記トラス梁１２の上部に設けられ、電動モータ（図示せず）、ピニオン（図示せず）およびラック（図示せず）を含み、前記トラス梁１２上を前記ラックが横方向に水平移動することにより、前記ラックに上方に向けて回動自在に取り付けた駆動アーム２４ａを、揺動させながら上下動させて、これにより、該駆動アーム２４ａの先端に取り付けた前記天窓２０の他側縁を上下動させて前記天窓２０の開放および閉鎖を行っている。なお、図１および図２は、前記天窓２０を開放した状態の概略図であり、図２において、破線部は前記天窓を閉鎖した状態を示している。
【００２７】
図３は、天窓および天窓周辺の拡大断面図であり、図４は、天窓部および天窓周辺の要部拡大断面図であり、図５は、防虫網収納装置等の分解斜視図である。なお、図３において、破線部は前記天窓を閉鎖した状態を示している。
【００２８】
図中２３は、本発明に係る防虫網収納装置であり、該防虫網収納装置２３は、図３乃至図５に詳細に示すように、長尺の金属製パイプからなる引込アーム２３ａと、該引込アーム２３ａの長手方向中央部より後端寄り部分を軸支する長尺の金属製パイプからなる支持ステー２３ｂとから構成されている。
【００２９】
前記引込アーム２３ａの先端には、長尺の金属製パイプ本体と直交するように嵌合雄部材４１を取り付けており、全体として略Ｔ字状となるように形成している。前記嵌合雄部材４１は、図６に詳細に示すように、断面Ｃ字状の嵌合部４１ａの両縁に金属板４１ｂを平行状に延設し、該金属板４１ｂの略中央にはボルト孔４１ｃが開設され、一方の金属板４１ｂ上面にはボルトの共回り防止のための突条４１ｄが２条並設されている。そして、前記引込アーム２３ａの先端が前記金属板４１ｂ、４１ｂ間に挿入され、ボルトとナット（図示せず）で締結固定されているのである。
【００３０】
そして、可撓性を有する合成樹脂等により成形された断面略Ｃ字状の筒状の嵌合雌部材４２に、予め、金属製のリング状の止金具４３を嵌め込んでおき、前記嵌合雄部材４１を、前記防虫網２２の上下方向における略中間部に室内側から当てて、前記嵌合雌部材４２を室外側から、前記嵌合雄部材４１に強制的に嵌合することにより、前記防虫網２２を、前記嵌合雄部材４１と前記嵌合雌部材４２との間で挟持した状態で保持している。
【００３１】
前記引込アーム２３ａの長手方向中央部より後端寄り部分には、軸孔（図示せず）が開
設されており、前記支持ステー２３ｂの先端に開設された軸孔（図示せず）とを、連結軸（図示せず）によって、回動自在に連結している。
【００３２】
一方、前記支持ステー２３ｂの後端は、取付部材３０を介して、前記もや材１７に取り付けられている。前記取付部材３０は、図７に詳細に示すように、２枚の湾曲板３１ａの夫々両端を環状に連結しパイプ保持部３１ｂとして形成し、一方の湾曲板３１ａの両側縁に外方に向けた折返部３１ｃを設けたＴ型交差部材３１と、金属板を略コ字状に折曲形成し、両脚３２ａ、３２ａ端部に内方に向けた折返部３２ｂを設けた締込体３２と、締込ネジ３３とから構成され、前記パイプ保持部３１ｂに前記もや材１７を嵌挿した後、前記湾曲板３１ａで前記支持ステー２３ｂの後端を挟持し、前記締込体３２を前記湾曲板３１ａに外嵌し、各折返部３１ｃ、３２ｂを掛合させて、前記締込ネジ３３を締結するのであるが、前記パイプ保持部３１ｂの内径を前記もや材１７の外径より若干径大に形成しており、したがって、前記支持ステー２３ｂは前記取付部材３０に固定される一方、前記もや材１７は、遊嵌状態で取り付けられており、前記支持ステー２３ｂは上下に回動自在に取り付けられることとなる。
【００３３】
図８は、防虫網収納装置を取付けた天窓の開放状態を室内から示す斜視図であり、図９は、同天窓の閉鎖状態を室内から示す斜視図である。
【００３４】
図８に示すように、前記防虫網収納装置２３は、その先端を前記防虫網２２の上下方向における中間位置に取り付け、その後端を前記天窓の開口部下方に位置する前記もや材１７に取り付けている。したがって、前記防虫網収納装置２３は、その自重により、常に前記防虫網２２を室内方向斜下方に向けて引張した状態で取り付けられている。また、前記防虫網収納装置２３は、前記嵌合部材４１，４２，４３と、前記取付部材３０とによって取り付けられているため、所望の位置にて取り付けることが可能である。また、その取付作業はボルトとナットとで容易に行うことができる。さらに、前記防虫網収納装置２３は、前記駆動アーム２４ａとは別体であり、取付位置が駆動アーム２４ａの位置とは無関係に所望の位置にて取り付けることができるため、前記防虫網２２の収納に必要な間隔を隔てて取り付けることができる。
【００３５】
そして、図８に示す天窓の開放状態から、図９に示す天窓の閉鎖状態に移行する際においても、前記防虫網収納装置２３は、その自重により、常に前記防虫網２２を室内方向斜下方に向けて引張した状態であるので、前記開閉機構２４の閉鎖動作中に、前記防虫網２２が、強風等によって煽られて、前記防虫網２２が天窓の側縁、窓開口の側縁又は駆動アーム等に引っかかることはなく、また、前記防虫網２２が室外にはみ出した状態で天窓が閉鎖することもない。
【００３６】
加えて、前記防虫網収納装置２３は、前述のとおり、簡易な構成からなるため、容易に、かつ、安価に製造することができるという効果も奏するのである。
【図面の簡単な説明】
【００３７】
【図１】本発明にかかる第１の実施の態様の防虫網収納装置を備えた農業用温室の概略斜視図である。
【図２】農業用温室の要部断面図である。
【図３】天窓および天窓周辺の拡大断面図である。
【図４】天窓部および天窓周辺の要部拡大断面図である。
【図５】防虫網収納装置等の分解斜視図である。
【図６】嵌合部材を示す図であり、（ａ）は平面図、（ｂ）はＡ−Ａ断面図、（ｃ）は側面図である。
【図７】取付部材を示す図であり、（ａ）は分解斜視図、（ｂ）は側面図、（ｃ）は正面図である。
【図８】天窓の開放状態を室内から示す斜視図である。
【図９】天窓の閉鎖状態を室内から示す斜視図である。
【図１０】従来例を示す要部側面図である。
【図１１】従来例を示す一部切欠側面図である。
【符号の説明】
【００３８】
１０    農業用温室
１１    支柱
１２    トラス梁
１３    アーチ受材
１４    アーチパイプ
１５    アーチパイプ接続具
１６    棟材
１６ａ  ヒンジ受部
１７    もや材
１８    結束部材
１９    天窓支持材
１９ａ  防虫網受部
２０    天窓
２０ａ  天窓上枠材
２０ｂ  天窓下枠材
２０ｃ  防虫網受部
２０ｄ  ヒンジ部
２１    開口部
２２    防虫網
２３    収納装置
２３ａ  引込アーム
２３ｂ  支持ステー
２３ｃ  （引込アームの）下端部
２４    開閉機構
２４ａ  駆動アーム
３０    取付部材
３１    Ｔ型交差部材
３１ａ  湾曲板
３１ｂ  パイプ保持部
３１ｃ  折返部
３２    締込体
３２ａ（締込体の）脚
３２ｂ  折返部
３３    締込ネジ
４１    嵌合雄部材
４１ａ  嵌合部
４１ｂ  金属板
４１ｃ  ボルト孔
４１ｄ  突条
４２    嵌合雌部材
４３    止金具
【図１】
2006204159.tif 000003
【図２】
2006204159.tif 000004
【図３】
2006204159.tif 000005
【図４】
2006204159.tif 000006
【図５】
2006204159.tif 000007
【図６】
2006204159.tif 000008
【図７】
2006204159.tif 000009
【図８】
2006204159.tif 000010
【図９】
2006204159.tif 000011
【図１０】
2006204159.tif 000012
【図１１】
2006204159.tif 000013